(57)【特許請求の範囲】
【請求項１】
前面、側面及び背面の幅方向両端側を開口したショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側に設けた空気吸入口から通風路内に吸入した空気を冷却器によって冷却し、ショーケース本体の前面開口部の上端側に設けた空気吐出口から吐出するようにしたオープンショーケースにおいて、
前記ショーケース本体の背面に沿って上下方向に延びる第１の補強部材と、
前記天板に連結され、ショーケース本体の背面側から天板の幅方向端部に向かって斜め前方に延びる第２の補強部材と、
第２の補強部材の後端側と第１の補強部材の上端側とを互いに連結し、第２の補強部材を第１の補強部材の上端面の所定位置を支点に上下方向に傾動自在に支持する傾斜調整機構とを備えた
ことを特徴とするオープンショーケース。
【請求項２】
前記傾斜調整機構を、一方の補強部材に係止し、他方の補強部材に第１の補強部材の傾動支点から後方に所定距離をおいて上下方向に移動自在に螺合するボルトによって形成した
ことを特徴とする請求項１記載のオープンショーケース。
【発明の詳細な説明】
【０００１】
【発明の属する技術分野】
本発明は、スーパーマーケット等の店舗に設置されるオープンショーケースに関するものである。
【０００２】
【従来の技術】
従来、この種のオープンショーケースでは、図６に示すように前面及び幅方向両側面を開口した複数のオープンショーケースＳ1 を互いに幅方向に連結するとともに、このオープンショーケースＳ1 の列を互いに背面側が対向するように計２列に配置し、各列の両端にはそれぞれ前面、左右両側面及び背面の幅方向両端側を開口したラウンド型オープンショーケースＳ2 を連結している。これら各オープンショーケースは、例えば実開平４−７４２７６号公報に記載されているように、前記開口部を有するショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出するようになっている。
【０００３】
【発明が解決しようとする課題】
しかしながら、前記ラウンド型オープンショーケースＳ2 では、前面、幅方向両側面及び背面の幅方向両端側を開口しているため、天板を支持する部分がショーケース本体の背面側中央部分のみとなり、天板の先端側が自重で下方に傾き易いという難点がある。このため、設置現場で別途補強部材を取付けるなどの措置を講じているが、現場での作業工数が増加し、設置コストの面で不利であった。また、天板を補強しても正確に水平状態を維持するのは困難であり、このためラウンド型オープンショーケースＳ2 の天板が他のオープンショーケースＳ1 の天板に対して上下方向に不揃いになり、外観を損なうという問題点もあった。
【０００４】
本発明は前記問題点に鑑みてなされたものであり、その目的とするところは、天板の自重による傾きを確実に防止することができ、しかも天板の端部の高さ位置を容易に調整することのできるオープンショーケースを提供することにある。
【０００５】
【課題を解決するための手段】
本発明は前記目的を達成するために、請求項１では、前面、側面及び背面の幅方向両端側を開口したショーケース本体と、ショーケース本体の上面を覆う天板と、ショーケース本体内の底面側、背面側及び天板の下方に沿って形成された通風路と、通風路内に配置された冷却器及び送風機とを備え、ショーケース本体の前面開口部の下端側に設けた空気吸入口から通風路内に吸入した空気を冷却器によって冷却し、ショーケース本体の前面開口部の上端側に設けた空気吐出口から吐出するようにしたオープンショーケースにおいて、前記ショーケース本体の背面に沿って上下方向に延びる第１の補強部材と、前記天板に連結され、ショーケース本体の背面側から天板の幅方向端部に向かって斜め前方に延びる第２の補強部材と、第２の補強部材の後端側と第１の補強部材の上端側とを互いに連結し、第２の補強部材を第１の補強部材の上端面の所定位置を支点に上下方向に傾動自在に支持する傾斜調整機構とを備えている。これにより、天板がショーケース本体の背面側から斜め前方に延びる第２の補強部材によって支持されることから、天板の前端側及び幅方向両端側が自重で下方に傾くことがない。この場合、傾斜調整機構によって第２の補強部材を上下方向に傾動することにより、天板の端部の高さ位置が任意に調整される。
【０００６】
また、請求項２では、請求項１記載のオープンショーケースにおいて、前記傾斜調整機構を、一方の補強部材に係止し、他方の補強部材に第１の補強部材の傾動支点から後方に所定距離をおいて上下方向に移動自在に螺合するボルトによって形成している。これにより、請求項１の作用に加え、前記ボルトの回動操作によって傾斜調整機構による天板の高さ位置の調整が行われる。
【０００７】
【発明の実施の形態】
図１乃至図５は本発明の一実施形態を示すもので、図１はオープンショーケースの側面断面図、図２はその平面図、図３は補強部材の要部側面断面図、図４はその要部分解側面断面図、図５はその要部拡大平面図である。
【０００８】
このオープンショーケースは、前面、両側面、及び背面の幅方向両端側をそれぞれ開口したショーケース本体１と、ショーケース本体１内に取付けられた上下複数段の商品棚２と、ショーケース本体１内の底面側、背面側及び上面側に沿って形成された通風路３と、通風路３内に配置された冷却器４及び送風機５とを備え、ショーケース本体１の前面開口部の下端側に設けた空気吸入口１ａから通風路２内に吸入した空気を冷却器４によって冷却し、ショーケース本体１の前面開口部の上端側に設けた空気吐出口１ｂから吐出するようになっている。
【０００９】
ショーケース本体１は、その上面側を覆う断熱性の天板６と、ショーケース本体１の背面側の一部、底面側及び前面側の下部を覆う断熱壁７と、天板６の下方を覆う上面板８と、背面側断熱壁７の前方を覆う背面板９と、底面側断熱壁７の上方を覆う底板１０とからなり、天板６及び断熱壁７と、上面板８、背面板９及び底板１０との間に前記通風路３を形成している。また、ショーケース本体１は、断熱壁７の背面側の後方及び底面側の下方に沿って延びるＬ字形の一対の第１の補強部材１１と、天板６の下方及び背面側断熱壁７の上部前方に沿って延びるＬ字形の一対の第２の補強部材１２とを備え、各補強部材１１，１２は複数のボルト１３及びナット１４によって互いに連結されている。尚、図２に示すようにショーケース本体１の背面側両端部には、側面を開口した他のオープンショーケースの本体１′がそれぞれ連結される。
【００１０】
第１の補強部材１１は十分な強度を有する鋼材からなり、上下方向に延びる縦材１１ａと、前後方向に延びる横材１１ｂとを互いに溶接等によって接合してなる。この場合、横材１１ｂの前端側及び後端側にはそれぞれ脚１１ｃが取付けられている。また、縦材１１ａの上面後端側にはボルト挿通用の孔１１ｄが設けられ、孔１１ｄの下方にはナット１１ｅが固定されている。
【００１１】
第２の補強部材１２は第１の補強部材１１と同様、十分な強度を有する鋼材からなり、上下方向に延びる縦材１２ａと、天板６の上面に沿って前後方向に延びる横材１２ｂとを互いに溶接等によって接合してなる。縦材１２ａは第１の補強部材１１の縦材１１ａの上部をその上面、背面及び両側面から覆うように形成され、上面側の前端部には下方に突出する突部１２ｃが設けられている。各第２の補強部材１２の横材１２ｂは、図２に示すように背面側の幅方向中央からそれぞれ前面側の右端及び左端に向かって斜めに配置され、複数のボルト１２ｄ及びナット１２ｅよって天板６に連結されている。この場合、横材１２ｂは縦材１２ａの上面に斜めに接合されている。また、第２の補強部材１２の後端側には天板６の前端側の高さ位置を調整するためのアジャストボルト１２ｆが取付けられている。アジャストボルト１２ｆは横材１２ｂ及び縦材１２ａを上方から回動自在に貫通しており、第１の補強部材１１のナット１１ｅに螺合している。即ち、アジャストボルト１２ｆを回動することにより、図３に示すようにアジャストボルト１２ｆの前方に位置する突部１２ｃを支点に第２の補強部材１２及び天板６が上下方向に傾動するようになっている。
【００１２】
以上のように構成されたオープンショーケースにおいては、ショーケース本体１の天板６が第２の補強部材１２によって上方から支持されることから、天板６の前端側が自重で下方へ傾くことがない。この場合、天板６は本実施形態のオープンショーケースの構造上、ショーケース本体１の背面側中央部のみによって支持されているが、各第２の補強部材１２が背面側の幅方向中央からそれぞれ前面側の右端及び左端に向かって延びているため、天板６の前端側及び幅方向両端側が下方へ撓むことがない。また、アジャストボルト１２ｆを回動して第２の補強部材１２を上下方向に傾動することにより、天板６の前端側の高さ位置が任意に調整される。
【００１３】
このように、本実施形態のオープンショーケースによれば、ショーケース本体１の背面側から斜め前方に延びる一対の第２の補強部材１２によって天板６を支持するようにしたので、天板６の自重による傾きを確実に防止することができ、本実施形態のようなラウンド型オープンショーケースにおいては極めて有利である。また、第２の補強部材１２に設けたアジャストボルト１２ｆによって天板６の端部の高さ位置を任意に調整することにより、オープンショーケースの設置現場等で天板６を容易に水平状態にすることができるので、ラウンド型オープンショーケースとして複数のオープンショーケースを互いに連結する場合は各オープンショーケースの天板６の高さ位置を確実に揃えることができる。
【００１４】
【発明の効果】
以上説明したように、請求項１のオープンショーケースによれば、天板の自重による傾きを確実に防止することができ、しかも天板の端部の高さ位置を容易に調整することができる。これにより、オープンショーケースの設置現場等で天板を容易に水平状態にすることができるとともに、ラウンド型オープンショーケースとして他のオープンショーケースを連結する場合は各オープンショーケースの天板の高さ位置を確実に揃えることができる。
【００１５】
また、請求項２のオープンショーケースによれば、請求項１の効果に加え、ボルトの回動操作によって天板の高さ位置を調整することができるので、調整作業を極めて容易に行うことができる。
【図面の簡単な説明】
【図１】本発明の一実施形態を示すオープンショーケースの側面断面図
【図２】オープンショーケースの平面図
【図３】補強部材の要部側面断面図
【図４】補強部材の要部側面断面図
【図５】補強部材の要部平面図
【図６】従来のラウンド型オープンショーケースの連結状態を示す斜視図
【符号の説明】
１…ショーケース本体、１ａ…空気吸入口、１ｂ…空気吐出口、３…通風路、４…冷却器、５…送風機、６…天板、１１…第１の補強部材、１２…第２の補強部材、１２ｆ…アジャストボルト。
【図１】
0003850170.tif 000002
【図２】
0003850170.tif 000003
【図３】
0003850170.tif 000004
【図４】
0003850170.tif 000005
【図５】
0003850170.tif 000006
【図６】
0003850170.tif 000007